(57)【要約】【課題】引き戸を設けた部屋の出入りを邪魔することなく、引き戸が閉じる方向に移動するのを簡単に防止できる。【解決手段】引き戸が閉じる方向に移動するにつれて垂直方向における床面との間の距離が短くなるように、前記引き戸の開閉方向に沿って設置される規制板と、前記引き戸が閉じる方向に移動するのを防止する場合、前記規制板の下側から前記規制板に当接し、前記引き戸が閉じる方向に移動するのを許可する場合、前記規制板から離間するように、前記規制板との間の距離が調整される調整機構と、を備える。【選択図】  図１
2013007170.tif 000002
【特許請求の範囲】
【請求項１】
引き戸が閉じる方向に移動するにつれて垂直方向における床面との間の距離が短くなるように、前記引き戸の開閉方向に沿って設置される規制板と、
前記引き戸が閉じる方向に移動するのを防止する場合、前記規制板の下側から前記規制板に当接し、前記引き戸が閉じる方向に移動するのを許可する場合、前記規制板から離間するように、前記規制板との間の距離が調整される調整機構と、
を備えたことを特徴とする引き戸の移動規制装置。
【請求項２】
前記規制板は、前記床面との間の距離が連続的に短くなる形状を呈する
ことを特徴とする請求項１に記載の引き戸の移動規制装置。
【請求項３】
前記規制板は、前記床面との間の距離が段階的に短くなる形状を呈する
ことを特徴とする請求項１に記載の引き戸の移動規制装置。
【請求項４】
前記調整機構は、前記引き戸の開口幅に応じて前記規制板との間の距離が調整される
ことを特徴とする請求項１乃至３の何れかに記載の引き戸の移動規制装置。
【請求項５】
前記調整機構は、
前記規制板の下側から前記規制板に当接するように垂直方向に移動する当接部材と、
前記当接部材が垂直方向に移動するように前記当接部材に駆動力を与える駆動部材と、
を有することを特徴とする請求項４に記載の引き戸の移動規制装置。
【請求項６】
前記駆動部材は、回転部材であり、
前記当接部材は、前記駆動部材から与えられる回転力を垂直方向の力に変換して移動する
ことを特徴とする請求項５に記載の引き戸の移動規制装置。
【請求項７】
前記当接部材は、前記引き戸が閉じる方向に移動するのを防止する際に、前記引き戸の上面から上側に向かって突出するように前記引き戸の内部に配設され、
前記規制板は、前記当接部材が当接するように、前記当接部材の上側に設置される
ことを特徴とする請求項５又は６に記載の引き戸の移動規制装置。
【請求項８】
前記当接部材は、前記引き戸が閉じる方向に移動するのを防止する際に、前記引き戸の上面の近傍に向かって移動するように前記引き戸の側面に設けられ、
前記規制板は、前記当接部材が当接するように、前記当接部材の上側に設置される
ことを特徴とする請求項５又は６に記載の引き戸の移動規制装置。
【発明の詳細な説明】
【技術分野】
【０００１】
本発明は、引き戸の移動規制装置に関する。
【背景技術】
【０００２】
一般に、家屋には部屋の出入口を開閉するための引き戸が設けられている。例えば、引き戸が開いたままにならないように、閉じる方向に自動的に移動する引き戸として、自閉式引き戸装置（特許文献１参照）が知られている。この自閉式引き戸装置では、引き戸が閉じる側に設けられた柱の上部と、引き戸の上部に配設されたゼンマイとの間にワイヤーを取り付け、ゼンマイがワイヤーを引っ張る力によって、閉じる方向に引き戸が自動的に移動する。
【先行技術文献】
【特許文献】
【０００３】
【特許文献１】特開２００９−４１１７８号公報
【発明の概要】
【発明が解決しようとする課題】
【０００４】
特許文献１の自閉式引き戸装置では、例えば、引き戸を開いたままにする場合、引き戸が閉じる側に設けられた柱の引き戸側の縁と引き戸との間に例えば木片を横置して、引き戸が閉じる方向に移動するのを規制したりしていた。その場合、例えば、引き戸を開いたままにする際の開口幅に応じた長さの木片を、個別に別途用意する必要があった。更に、引き戸が閉じる側に設けられた柱の引き戸側の縁と引き戸との間に横置した木片が、引き戸を設けた部屋の出入りの邪魔となる虞があった。
【課題を解決するための手段】
【０００５】
前述した課題を解決する主たる本発明は、引き戸が閉じる方向に移動するにつれて垂直方向における床面との間の距離が短くなるように、前記引き戸の開閉方向に沿って設置される規制板と、前記引き戸が閉じる方向に移動するのを防止する場合、前記規制板の下側から前記規制板に当接し、前記引き戸が閉じる方向に移動するのを許可する場合、前記規制板から離間するように、前記規制板との間の距離が調整される調整機構と、を備えたことを特徴とする引き戸の移動規制装置である。
【０００６】
本発明の他の特徴については、添付図面及び本明細書の記載により明らかとなる。
【発明の効果】
【０００７】
本発明によれば、引き戸を設けた部屋の出入りを邪魔することなく、引き戸が閉じる方向に移動するのを簡単に規制できる。
【図面の簡単な説明】
【０００８】
【図１】本発明の第１及び第２実施形態における引き戸装置を示す斜視図である。
【図２】本発明の第１及び第２実施形態における鴨居を取り外した状態の引き戸装置を示す斜視図である。
【図３】本発明の第１及び第２実施形態における調整機構を示す図である。
【図４】本発明の第１実施形態における長い開口幅となるように開いた状態の引き戸装置を示す図である。
【図５】本発明の第１実施形態における短い開口幅となるように開いた状態の引き戸装置の図である。
【図６】本発明の第２実施形態における長い開口幅となるように開いた状態の引き戸装置を示す図である。
【図７】本発明の第２実施形態における短い開口幅となるように開いた状態の引き戸装置を示す図である。
【図８】本発明の第３実施形態における引き戸装置を示す斜視図である。
【図９】本発明の第３実施形態における開いた状態の引き戸装置を示す図である。
【図１０】本発明のその他の実施形態における引き戸装置を示す斜視図である。
【発明を実施するための形態】
【０００９】
本明細書および添付図面の記載により、少なくとも以下の事項が明らかとなる。
【００１０】
[第１実施形態]
＝＝＝引き戸装置＝＝＝
図１は、本実施形態における引き戸装置を示す斜視図である。尚、規制板４１は、鴨居４における下側に向けて開口した案内凹部４２に設けられているため、鴨居４と重なって見えない状態となっているが、点線で示されている。図２は、本実施形態における鴨居を取り外した状態の引き戸装置を示す斜視図である。尚、滑車１５、ゼンマイ１６は、引き戸１１の内部に設けられているため、引き戸１１に重なって見えない状態となっているが、点線で示されている。
【００１１】
引き戸装置１００は、敷居２、柱３、鴨居４、引き戸１１を含んで構成される。尚、本実施形態において、Ｚ軸は、引き戸１１が開閉する水平方向に沿う軸であり、引き戸１１が閉じる方向（奥側）を＋Ｚ方向とし、引き戸１１が開く方向（手前側）を−Ｚ方向とする。Ｘ軸は、出入口５を出入りする方向に沿う軸であり、一方に向かって出入りする方向を＋Ｘ方向とし、他方に向かって出入りする方向を−Ｘ方向とする。Ｙ軸は、引き戸１１に対して垂直方向に沿う軸であり、下に向かう方向を−Ｙ方向とし、上に向かう方向を＋Ｙ方向とする。
【００１２】
敷居２は、引き戸１１が開閉方向に沿って移動するように、引き戸１１の下部を案内するための部材である。尚、敷居２の詳細については後述する。鴨居４は、引き戸１１が開閉方向に沿って移動するように、引き戸１１の上部を案内するための部材である。尚、鴨居４の詳細については後述する。柱３は、鴨居４が引き戸１１の上部を案内できる高さとなるように、鴨居４を支持する部材である。尚、柱３の詳細については後述する。引き戸１１は、出入口５を開閉するための引き戸である。引き戸１１は、引き戸クローザ１４によって、閉じる方向に自動的に移動する。引き戸１１は、引き戸の移動規制装置によって、引き戸１１が閉じる方向に移動するのを防止されたり許可されたりする。尚、引き戸１１、引き戸クローザ１４、引き戸の移動規制装置の詳細については後述する。
【００１３】
＝＝＝引き戸装置の詳細＝＝＝
以下、図１を参照して、本実施形態に用いられる引き戸装置の詳細について説明する。  
引き戸装置１００は、例えば家屋における部屋の出入口５に設けられる自閉式の引き戸である。引き戸装置１００は、前述したように、敷居２、柱３、鴨居４、引き戸１１を含んで構成される。
【００１４】
敷居２は、引き戸１１が開閉方向に沿って移動するように、引き戸１１の下部を案内するための、例えば長尺状の略矩形柱形状を呈する部材である。敷居２は、例えば、敷居２の長手方向が引き戸１１の開閉方向に沿った状態で床面（不図示）に設けられる。敷居２の上面）には、引き戸１１の下部を挿入した状態で、引き戸１１が開閉方向に沿って移動するのを案内するための案内凹部２３が設けられる。案内凹部２３の底面には、引き戸１１を開閉方向に沿って滑らかに移動させるように引き戸１１の下面に設けられた戸車（不図示）を滑らせるためのレール２２が開閉方向に沿って設けられる。敷居２の上面には、ストッパ２１が設けられる。ストッパ２１は、引き戸１１を手前側に移動させた際、引き戸１１を案内凹部２３の手前側の縁で確実にとめるための、例えば略矩形柱形状を呈する部材である。ストッパ２１は、敷居２の上面における案内凹部２３の手前側の縁に隣接する位置に設けられる。
【００１５】
柱３は、鴨居４が引き戸１１の上部を案内できる高さとなるように、鴨居４を支持する、例えば略矩形柱形状を呈する部材である。柱３は、柱３の長手方向が垂直方向に沿った状態で、床面における敷居２と奥側に隣接する位置に立設される。
【００１６】
鴨居４は、引き戸１１が開閉方向に沿って移動するように、引き戸１１の上部を案内するための、例えば略矩形柱形状を呈する部材である。鴨居４の下面には、引き戸１１の上部を挿入した状態で、引き戸１１が開閉方向に沿って移動するのを案内するための案内凹部４２が設けられる。鴨居４は、案内凹部４２に引き戸１１の上部を挿入できる高さとなるように、鴨居４の奥側の面が柱３の上部における手前側の面に支持される。鴨居４の手前側の面は、柱３と同様な柱（不図示）によって支持されるものとする。案内凹部４２は、案内凹部４２の一方の面と他方の面とで、引き戸１１が出入りする方向に倒れるのを防止するように、開閉方向に沿って設けられる。案内凹部４２の深さは、案内凹部４２に挿入した引き戸１１の上面の上側に、規制板４１を設置できる深さであるものとする。尚、規制板４１の詳細については後述する。
【００１７】
引き戸１１は、出入口５を開閉するための、例えば略矩形柱形状を呈する引き戸である。引き戸１１は、例えば引き戸１１を開く方向に移動させるための力が加えられる把手１３と、引き戸１１が閉じる方向に移動するのを防止する際に回転力が加えられるダイヤル１２とが、引き戸１１の例えば一方の側面に設けられる。ここで、ダイヤル１２には、例えば引き戸１１の開口幅とダイヤル１２の回転量とを対応付けた目盛りが設けられているものする。尚、引き戸１１の開口幅の詳細については後述する。引き戸１１は、引き戸１１の下面に設けられた戸車がレール２２に沿って走行するように、引き戸１１の下部が案内凹部２３に挿入される。引き戸１１は、引き戸１１の上部が案内凹部４２に挿入される。
【００１８】
例えば、引き戸１１が閉じる方向に移動した場合、引き戸１１の奥側の面と柱３の手前側の面とが接触して、出入口５が閉じた状態となる。一方、例えば、引き戸１１が開く方向に移動した場合、引き戸１１の奥側の面と柱３の手前側の面から離間して、出入口５が開いた状態となる。
【００１９】
＝＝＝引き戸クローザ＝＝＝
以下、図１、図２を参照して、本実施形態に用いられる引き戸クローザについて説明する。  
引き戸クローザ１４は、引き戸１１を閉じる方向に自動的に移動させるための装置である。引き戸クローザ１４は、滑車１５、ゼンマイ１６、ワイヤー４３を含んで構成される。
【００２０】
滑車１５は、ワイヤー４３を中継するための滑車である。  
滑車１５は、例えば引き戸１１の内部における上側に設けられる。滑車１５は、例えば出入りする方向に沿った軸１５１を中心に回転するように引き戸１１の内部で軸支される。尚、引き戸１１は、内部に滑車１５、後述するゼンマイ１６を設けられるように、中空構造であるものとする。引き戸１１の奥側の面における例えば滑車１５が設けられた高さと同じ高さの位置には、ワイヤー４３を挿通するための孔（不図示）が設けられているものとする。
【００２１】
ゼンマイ１６は、ワイヤー４３を引っ張る力を発生するための渦巻きばねである。ゼンマイ１６は、例えば引き戸１１の内部における滑車１５よりも下側に設けられる。ゼンマイ１６は、中心側の端部が、例えば軸１５１の下側に設けられた軸１６１に接続される。ゼンマイ１６は、外周側の端部が、ワイヤー４３の一端に接続される。
【００２２】
ワイヤー４３は、ゼンマイ１６の引っ張り力によって引き戸１１を閉じる方向に移動させるように、ゼンマイ１６と柱３との間に接続されるワイヤーである。ワイヤー４３の一端は、ワイヤー４３を挿通するための孔、滑車１５の外周面を介してゼンマイ１６の外周側の端部に接続される。ワイヤー４３の一端とは反対側の他端は、柱３の手前側の面における、床面から引き戸１１の奥側の面の孔の高さと同じ高さの位置に接続される。
【００２３】
例えば、把手１３に対して、引き戸１１を開く方向に移動させるための力が加えられた場合、引き戸１１は開く方向に移動する。その際、ゼンマイ１６は、ゼンマイ１６の外周側の端部がワイヤー４３に引っ張られて、縮んだ状態になる。その後、例えば、把手１３に対して、引き戸１１を開く方向に移動させるための力が加えられない状態となった場合、ゼンマイ１６は、元の形状に戻ろうとして、ワイヤー４３を引っ張る力を発生する。その際、引き戸１１は、ゼンマイ１６のワイヤー４３を引っ張る力によって、閉じる方向に移動する。
【００２４】
＝＝＝引き戸の移動規制装置＝＝＝
以下、図１乃至図５を参照して、本実施形態に係る引き戸の移動規制装置について説明する。図３は、本実施形態における調整機構を示す図である。図４は、本実施形態に用いられる長い開口幅となるように開いた状態の引き戸装置を示す図である。尚、規制板４１、調整機構６、引き戸１１の上部は、鴨居４における下側に向けて開口した案内凹部４２に設けられているため、鴨居４と重なって見えない状態となっているが、一点鎖線で示されている。調整機構６は、引き戸１１の内部に設けられているため、引き戸１１と重なって見えない状態となっているが、点線で示されている。引き戸１１の下部は、敷居２の案内凹部２３に設けられているため、敷居２と重なって見えない状態となっているが、一点鎖線で示されている。図５は、本実施形態に用いられる短い開口幅となるように開いた状態の引き戸装置を示す図である。尚、規制板４１、引き戸１１の上部及び下部は、図４と同様に見えない状態となっているが、一点鎖線で示されている。調整機構６は、図４と同様に見えない状態となっているが、点線で示される。
【００２５】
引き戸の移動規制装置は、引き戸１１が閉じる方向に移動するのを防止したり、許可したりするための装置である。引き戸の移動規制装置は、調整機構６、規制板４１を含んで構成される。
【００２６】
規制板４１は、引き戸１１が閉じる方向に移動する際、引き戸１１の上面から突出した当接部材６１が下側から当接して、引き戸１１が閉じる方向に移動するのを防止するための部材である。尚、当接部材６１の詳細については後述する。規制板４１は、例えば、既存の鴨居４に対して、平板形状を呈する部材を、閉じる方向に移動するにつれて垂直方向における規制板４１と床面との間の距離が連続的に短くなるように斜めに設置する構成としてもよいし、例えば、閉じる方向に移動するにつれて垂直方向における規制板４１と床面との間の距離が連続的に短くなる面を有する部材を鴨居４に取り付ける構成としてもよい。又、規制板４１は、例えば、鴨居４の一部として予め鴨居４に形成される構成としてもよい。規制板４１は、引き戸１１の案内凹部４２に、開閉方向に沿って設けられる。規制板４１は、閉じる方向に移動するにつれて垂直方向における規制板４１と床面との間の距離が連続的に短くなるように設けられる。規制板４１は、引き戸１１を開閉した際に、引き戸１１の上部と接触しないように、規制板４１の奥側の縁が引き戸１１の上面より上側になるように設けられる。規制板４１は、規制板４１の手前側の縁が、規制板４１の奥側の縁よりも上側になるように設けられる。
【００２７】
調整機構６は引き戸１１が閉じる方向に移動するのを防止したり許可したりするために、規制板４１に当接したり、離間したりする機構である。調整機構６は、当接部材６１、回転ギヤ６３、回転ギヤ６４（回転部材）を有する。
【００２８】
当接部材６１は、規制板４１に下側から当接して、引き戸１１が閉じる方向に移動するのを防止するための例えば略系矩形柱形状を呈する長尺状の部材である。当接部材６１は、当接部材６１の長手方向が垂直方向に沿った状態で、先端が例えば引き戸１１の上面に設けられた孔６１１から上側に向かって突出したり退避したりするように、引き戸１１の内部に配設される。尚、引き戸１１の内部の中空部分は、前述した滑車１５、ゼンマイ１６と共に、当接部材６１、回転ギヤ６３、６４も収容できるような構造になっているものとする。当接部材６１の下部には、例えば回転ギヤ６４と噛み合った状態で、回転ギヤ６４の回転力を垂直方向の力に変換して当接部材６１を垂直方向に移動させるラックギヤ６２が設けられる。尚、回転ギヤ６４とラックギヤ６２とが、本実施形態における駆動部材に相当する。回転ギヤ６４の詳細は後述する。
【００２９】
回転ギヤ６４は、ラックギヤ６２と噛み合う例えばピニオンギヤである。回転ギヤ６４は、例えば出入りする方向に沿った状態でダイヤル１２の軸１２１と連結した軸６４１を中心に回転するように、引き戸１１の内部で軸支される。
【００３０】
回転ギヤ６３は、回転ギヤ６４と噛み合うギヤである。回転ギヤ６３は、回転ギヤ６３、６４が相互に噛み合う位置に、軸６４１と平行となるように設けられた軸６３１を中心に回転するように引き戸１１の内部で軸支される。ここで、引き戸１１の例えば他方の側面には、ダイヤル１２と同様なダイヤル（不図示）が設けられるものとする。引き戸１１の他方の側面に設けられたダイヤル（以下、「他方のダイヤル」という）の軸と軸６３１とは連結されているものとする。
【００３１】
例えば、引き戸１１の一方の側面に向かって時計回り方向（ａ方向）への回転力がダイヤル１２に加えられた場合、回転ギヤ６４は、軸６４１を中心にａ方向に回転する。ラックギヤ６２は、回転ギヤ６４のａ方向への回転力を下側への力に変換して、当接部材６１を下方向に移動させる。その際、回転ギヤ６３は、回転ギヤ６４のａ方向への回転力によって、軸６３１を中心に引き戸１１の一方の側面に向かって反時計回り方向（ｂ方向）に回転する
一方、例えば、ｂ方向への回転力がダイヤル１２に加えられた場合、回転ギヤ６４は、軸６４１を中心にｂ方向に回転する。ラックギヤ６２は、回転ギヤ６４のｂ方向への回転力を上側への力に変換して、当接部材６１を上方向に移動させる。その際、回転ギヤ６３は、回転ギヤ６４のｂ方向への回転力によって、軸６３１を中心にａ方向に回転する。
【００３２】
例えば、ａ方向への回転力が他方のダイヤルに加えられた場合、回転ギヤ６３は、軸６３１を中心にａ方向に回転する。回転ギヤ６４は、回転ギヤ６３のａ方向への回転力によって、軸６４１を中心にｂ方向に回転する。ラックギヤ６２は、回転ギヤ６４のｂ方向への回転力を上方向への力に変換して、当接部材６１を上方向に移動させる。
【００３３】
一方、例えば、ｂ方向への回転力が他方のダイヤルに加えられた場合、回転ギヤ６３は、軸６３１を中心にｂ方向に回転する。回転ギヤ６４は、回転ギヤ６３のｂ方向への回転力によって、軸６４１を中心にａ方向に回転する。ラックギヤ６２は、回転ギヤ６４のａ方向への回転力を下方向への力に変換して、当接部材６１を下方向に移動させる。
【００３４】
＝＝＝引き戸の開口幅＝＝＝
以下、図４、図５を参照して、本実施形態に係る引き戸の移動規制装置を用いて調整される引き戸の開口幅について説明する。
【００３５】
引き戸の移動規制装置では、例えば引き戸１１の上面から突出する当接部材６１の突出量に応じて、引き戸１１を開いたままにする際の引き戸１１の開口幅が連続的に調整される。尚、引き戸１１の開口幅は、例えば、引き戸１１における奥側の面と、柱３における手前側の面との間の距離とする。
【００３６】
例えば、引き戸１１の上面から突出した当接部材６１の距離が距離Ｈ１の場合、開口幅が距離Ｗ１のときに、当接部材６１の先端が規制板４１の下側から規制板４１に当接して、引き戸１１が閉じる方向に移動するのを防止される。引き戸１１を開いたままにする際の引き戸１１の開口幅が距離Ｗ１となる。
【００３７】
例えば、引き戸１１の上面から突出した当接部材６１の距離が距離Ｈ１よりも短い距離Ｈ２の場合、開口幅が距離Ｗ１よりも短い距離Ｗ２のときに、当接部材６１の先端が規制板４１の下側から規制板４１に当接して、引き戸１１が閉じる方向に移動するのを防止される。引き戸１１を開いたままにする際の引き戸１１の開口幅が距離Ｗ２となる。
【００３８】
例えば、引き戸１１の上面から当接部材６１が突出しない場合、当接部材６１が規制板４１から離間した状態となり、引き戸１１が閉じる方向に移動するのを許可される。引き戸１１は閉じた状態になる。
【００３９】
＝＝＝引き戸の移動規制装置の動作＝＝＝
以下、図１乃至図５を参照して、本実施形態に係る引き戸の移動規制装置の動作の一例について説明する。尚、例えば、開いた引き戸１１を、開口幅が距離Ｗ２となるように開いたままの状態にする場合、開いた引き戸１１を、閉じた状態にする場合に分けて説明する。更に、ダイヤル１２を用いて当接部材６１を移動させる場合、他方のダイヤルを用いて当接部材６１を移動させる場合に分けて説明する。
【００４０】
＜開いた引き戸１１を、開口幅が距離Ｗ２となるように開いたままの状態にする場合（ダイヤル１２を用いて当接部材６１を移動させる場合）＞
例えば、引き戸１１の上面から当接部材６１が距離Ｈ２だけ突出するように、例えばダイヤル１２をｂ方向に回転させる。ダイヤル１２に加えられたｂ方向への回転力によって、回転ギヤ６４は、軸６４１を中心にｂ方向に回転する。ラックギヤ６２は、回転ギヤ６４のｂ方向への回転力を上側への力に変換して、当接部材６１を上方向に移動させる。当接部材６１が距離Ｈ２だけ引き戸１１の上面から突出した状態となる。例えば、引き戸１１が、引き戸クローザ１４によって閉じる方向に自動的に移動した場合、開口幅が距離Ｗ２となったときに、当接部材６１の例えば先端が規制板４１に当接する。その際、引き戸１１は、閉じる方向に向かって移動するのが防止されて、引き戸１１は、開口幅が距離Ｗ２で開いたままの状態となる。
【００４１】
＜開いた引き戸１１を、開口幅が距離Ｗ２となるように開いたままの状態にする場合（他方のダイヤルを用いて当接部材６１を移動させる場合）＞
例えば、引き戸１１の上面から当接部材６１が距離Ｈ２だけ突出するように、例えば他方のダイヤルをａ方向に回転させる。他方のダイヤルに加えられたａ方向への回転力によって、回転ギヤ６３は、軸６３１を中心にａ方向に回転する。その際、回転ギヤ６３のａ方向への回転力によって、回転ギヤ６４は、軸６４１を中心にｂ方向に回転する。その後に、開口幅が距離Ｗ２となる引き戸１１の動作は、ダイヤル１２を用いて当接部材６１を移動させる場合と同様であるので、その説明は省略する。
【００４２】
＜開いた引き戸１１を、閉じた状態にする場合（ダイヤル１２を用いて当接部材６１を移動させる場合）＞
例えば、引き戸１１の上面から当接部材６１が退避するように、例えばダイヤル１２をａ方向に回転させる。ダイヤル１２に加えられたａ方向への回転力によって、回転ギヤ６４は、軸６４１を中心にａ方向に回転する。ラックギヤ６２は、回転ギヤ６４のａ方向への回転力を下側への力に変換して、当接部材６１を下方向に移動させる。当接部材６１が引き戸１１の上面から退避して、規制板４１から離間した状態となる。例えば、引き戸１１が、引き戸クローザ１４によって閉じる方向に自動的に移動した場合、引き戸１１は閉じた状態となる。
【００４３】
＜開いた引き戸１１を、閉じた状態にする場合（他方のダイヤルを用いて当接部材６１を移動させる場合）＞
例えば、引き戸１１の上面から当接部材６１が退避するように、例えば他方のダイヤルをｂ方向に回転させる。他方のダイヤルに加えられたｂ方向への回転力によって、回転ギヤ６３は、軸６３１を中心にｂ方向に回転する。その際、回転ギヤ６３のｂ方向への回転力によって、回転ギヤ６４は、軸６４１を中心にａ方向に回転する。その後に、引き戸１１を閉じる動作は、ダイヤル１２を用いて当接部材６１を移動させる場合と同様であるので、その説明は省略する。
【００４４】
前述したように、規制板４１は、引き戸１１の開閉方向に沿って、引き戸１１が閉じる方向に移動するにつれて垂直方向の床面との間の距離が短くなるように設置される。引き戸１１が閉じる方向に移動するのを防止する場合、調整機構６は、下側から規制板４１に当接する。引き戸１１が閉じる方向に移動するのを許可する場合、調整機構６は、規制板４１から離間する。よって、例えば、引き戸１１を開いたままにする際、出入口５に例えば木片等を横置する必要がないので、引き戸１１を設けた部屋の出入りを邪魔することなく、引き戸１１が閉じる方向に移動するのを簡単に規制できる。
【００４５】
又、規制板４１は、床面との間の距離が連続的に短くなる形状を呈する。規制板４１と調整機構６との間の距離は、引き戸１１の開口幅に応じて調整される。よって、引き戸１１を開いたままの状態にする際、引き戸１１の開口幅を自由に調整できる。従って、使い勝手のよい引き戸の移動規制装置を提供することができる。
【００４６】
又、当接部材６１は、先端が例えば引き戸１１の上面から上側に向かって突出するように、引き戸１１の内部に配設される。規制板４１は、当接部材６１が当接するように、当接部材６１の上側に設置される。よって、例えば引き戸１１が閉じる方向に移動するのを防止する場合、当接部材６１を規制板４１に確実に当接できるので、引き戸１１が閉じる方向に移動するのを確実に規制できる。
【００４７】
又、回転ギヤ６４に加えられる回転力をラックギヤ６２が垂直方向の力に変換することによって、当接部材６１が規制板４１に下側から当接するように垂直方向に移動する。よって、回転ギヤ６４を引き戸１１における、例えば回転力を回転ギヤ６４に加え易い所定の高さの位置に設けることによって、当接部材６１を確実に移動させることができる。従って、更に、使い勝手のよい引き戸の移動規制装置を提供することができる。
【００４８】
又、回転ギヤ６４は、ダイヤル１２、他方のダイヤルに加えられる回転力に基づいて、回転する。よって、引き戸１１の一方側からも他方側からも当接部材６１を移動させることができる。従って、更に、使い勝手のよい引き戸の移動規制装置を提供することができる。
【００４９】
[第２実施形態]
＝＝＝引き戸の移動規制装置＝＝＝
本発明の第２実施形態に係る引き戸の移動規制装置は、第１実施形態に係る引き戸の移動規制装置の規制板４１を規制板４１ａに変更したものである。尚、規制板４１ａ以外の構成は、第１実施形態に係る引き戸の移動規制装置と同様であるので、その説明は省略する。図６は、本実施形態に用いられる長い開口幅となるように開いた状態の引き戸装置を示す図である。尚、図４に示された構成と同じ構成については同じ番号を付すのみで、その説明は省略する。規制板４１ａは、鴨居４における下側に向けて開口した案内凹部４２に設けられているため、鴨居４と重なって見えない状態となっているが、一点鎖線で示されている。図７は、本実施形態に用いられる短い開口幅となるように開いた状態の引き戸装置を示す図である。尚、図５に示された構成と同じ構成については同じ番号を付すのみで、その説明は省略する。規制板４１ａは、図６と同様に見えない状態となっているが、一点鎖線で示されている。
【００５０】
引き戸の移動規制装置は、規制板４１ａを含んで構成される。尚、本実施形態において、Ｚ軸は、引き戸１１が開閉する水平方向に沿う軸であり、引き戸１１が閉じる方向（奥側）を＋Ｚ方向とし、引き戸１１が開く方向（手前側）を−Ｚ方向とする。Ｘ軸は、出入口５を出入りする方向に沿う軸であり、一方に向かって出入りする方向を＋Ｘ方向とし、他方に向かって出入りする方向を−Ｘ方向とする。Ｙ軸は、引き戸１１に対して垂直方向に沿う軸であり、下に向かう方向を−Ｙ方向とし、上に向かう方向を＋Ｙ方向とする。
【００５１】
規制板４１ａは、引き戸１１が閉じる方向に移動する際、引き戸１１の上面から突出した当接部材６１が下側から当接して、引き戸１１が閉じる方向に移動するのを防止するための部材である。規制板４１ａは、例えば、既存の鴨居４に対して、階段形状を呈する部材を、閉じる方向に移動するにつれて垂直方向における規制板４１ａと床面との間の距離が連続的に短くなるように設置する構成としてもよいし、例えば、閉じる方向に移動するにつれて垂直方向における規制板４１ａと床面との間の距離が段階的に短くなる面を有する部材を鴨居４に取り付ける構成としてもよい。又、規制板４１ａは、例えば、鴨居４の一部として予め鴨居４に形成される構成としてもよい。規制板４１ａは、引き戸１１の案内凹部４２に、開閉方向に沿って設けられる。規制板４１ａは、閉じる方向に移動するにつれて垂直方向における床面との間の距離が段階的に短くなるように設けられる。規制板４１ａにおける、床面との間の距離が段階的に短くなる面を、例えば床面との間の距離が短くなる順に、階段面４１１ａ、４１２ａ、４１３ａとする。規制板４１ａは、階段面４１１ａ、４１２ａ、４１３ａが、例えば床面と平行になるように設けられる。規制板４１ａは、引き戸１１を開閉した際に、階段面４１３ａと引き戸１１の上部とが接触しないように、階段面４１３ａが引き戸１１の上面より上側になるように設けられる。
【００５２】
＝＝＝引き戸の開口幅＝＝＝
以下、図６、図７を参照して、本実施形態に係る引き戸の移動規制装置を用いて調整される引き戸の開口幅について説明する。
【００５３】
引き戸の移動規制装置では、例えば引き戸１１の上面から突出する当接部材６１の突出量に応じて、引き戸１１を開いたままにする際の引き戸１１の開口幅が段階的に調整される。
【００５４】
例えば、引き戸１１の上面から突出する当接部材６１の距離Ｈ３が、引き戸１１の上面と階段面４１２ａとの間の距離よりも長く、引き戸１１の上面と階段面４１１ａとの距離よりも短い場合、引き戸１１が閉じる方向に移動する際、当接部材６１は、階段面４１１ａ、４１２ａの段差を作る当接面４１１ｂに当接する。その場合、開口幅が距離Ｗ３のときに、当接部材６１の上部が規制板４１ａの下側から規制板４１ａに当接して、引き戸１１が閉じる方向に移動するのを防止される。引き戸１１を開いたままにする際の引き戸１１の開口幅が距離Ｗ３となる。
【００５５】
例えば、引き戸１１の上面から突出する当接部材６１の距離Ｈ４が、引き戸１１の上面と階段面４１３ａとの間の距離よりも長く、引き戸１１の上面と階段面４１２ａとの距離よりも短い場合、引き戸１１が閉じる方向に移動する際、当接部材６１は、階段面４１２ａ、４１３ａの段差を作る当接面４１１ｂに当接する。その場合、開口幅が距離Ｗ４のときに、当接部材６１の上部が規制板４１ａの下側から規制板４１ａに当接して、引き戸１１が閉じる方向に移動するのを防止される。引き戸１１を開いたままにする際の引き戸１１の開口幅が距離Ｗ３よりも短い距離Ｗ４となる。
【００５６】
例えば、引き戸１１の上面から突出する当接部材６１の距離が、引き戸１１の上面と階段面４１３ａとの間の距離よりも短い場合、引き戸１１が閉じる方向に移動する際、規制板４１ａから離間した状態となり、引き戸１１が閉じる方向に移動するのを許可される。引き戸１１は閉じた状態になる。
【００５７】
＝＝＝引き戸の移動規制装置の動作＝＝＝
以下、図１乃至図３、図６、図７を参照して、本実施形態に係る引き戸の移動規制装置の動作の一例について説明する。尚、例えば、開いた引き戸１１を、開口幅が距離Ｗ４となるように開いたままの状態にする場合、開いた引き戸１１を、閉じた状態にする場合に分けて説明する。更に、ダイヤル１２を用いて当接部材６１を移動させる場合、他方のダイヤルを用いて当接部材６１を移動させる場合に分けて説明する。
【００５８】
＜開いた引き戸１１を、開口幅が距離Ｗ４となるように開いたままの状態にする場合（ダイヤル１２を用いて当接部材６１を移動させる場合）＞
例えば、引き戸１１の上面から突出する当接部材６１の距離Ｈ４が、引き戸１１の上面と階段面４１３ａとの間の距離よりも長く、引き戸１１の上面と階段面４１２ａとの距離よりも短くなるように、例えばダイヤル１２をｂ方向に回転させる。ダイヤル１２に加えられたｂ方向への回転力によって、回転ギヤ６４は、軸６４１を中心にｂ方向に回転する。ラックギヤ６２は、回転ギヤ６４のｂ方向への回転力を上側への力に変換して、当接部材６１を上方向に移動させる。引き戸１１の上面から突出する当接部材６１の距離Ｈ４が、引き戸１１の上面と階段面４１３ａとの間の距離よりも長く、引き戸１１の上面と階段面４１２ａとの距離よりも短い距離となる。例えば、引き戸１１が、引き戸クローザ１４によって閉じる方向に自動的に移動した場合、当接部材６１の上部が当接面４１２ｂに当接して、開口幅が距離Ｗ４となる。その際、引き戸１１は、閉じる方向に向かって移動するのが防止されて、引き戸１１は、開口幅が距離Ｗ４で開いたままの状態となる。
【００５９】
＜開いた引き戸１１を、開口幅が距離Ｗ４となるように開いたままの状態にする場合（他方のダイヤルを用いて当接部材６１を移動させる場合）＞
例えば、引き戸１１の上面から突出する当接部材６１の距離Ｈ４が、引き戸１１の上面と階段面４１３ａとの間の距離よりも長く、引き戸１１の上面と階段面４１２ａとの距離よりも短くなるように、例えば他方のダイヤルをａ方向に回転させる。他方のダイヤルに加えられたａ方向への回転力によって、回転ギヤ６３は、軸６３１を中心にａ方向に回転する。その際、回転ギヤ６３のａ方向への回転力によって、回転ギヤ６４は、軸６４１を中心にｂ方向に回転する。その後に、開口幅が距離Ｗ４となる引き戸１１の動作は、ダイヤル１２を用いて当接部材６１を移動させる場合と同様であるので、その説明は省略する。
【００６０】
＜開いた引き戸１１を、閉じた状態にする場合（ダイヤル１２を用いて当接部材６１を移動させる場合）＞
例えば、引き戸１１の上面から突出する当接部材６１の距離が、引き戸１１の上面と階段面４１３ａとの間の距離よりも短くなるように、例えばダイヤル１２をａ方向に回転させる。ダイヤル１２に加えられたａ方向への回転力によって、回転ギヤ６４は、軸６４１を中心にａ方向に回転する。ラックギヤ６２は、回転ギヤ６４のａ方向への回転力を下側への力に変換して、当接部材６１を下方向に移動させる。引き戸１１の上面から突出する当接部材６１の距離が、引き戸１１の上面と階段面４１３ａとの間の距離よりも短い距離となる。その際、当接部材６１が、規制板４１ａから離間した状態となる。例えば、引き戸１１が、引き戸クローザ１４によって閉じる方向に自動的に移動した場合、引き戸１１は閉じた状態となる。
【００６１】
＜開いた引き戸１１を、閉じた状態にする場合（他方のダイヤルを用いて当接部材６１を移動させる場合）＞
例えば、引き戸１１の上面から突出する当接部材６１の距離が、引き戸１１の上面と階段面４１３ａとの間の距離よりも短くなるように、例えば他方のダイヤルをｂ方向に回転させる。他方のダイヤルに加えられたｂ方向への回転力によって、回転ギヤ６３は、軸６３１を中心にｂ方向に回転する。その際、回転ギヤ６３のｂ方向への回転力によって、回転ギヤ６４は、軸６４１を中心にａ方向に回転する。その後に、引き戸１１を閉じる動作は、ダイヤル１２を用いて当接部材６１を移動させる場合と同様であるので、その説明は省略する。
【００６２】
前述したように、規制板４１ａは、床面との間の距離が段階的に短くなる形状を呈する。よって、引き戸１１の開口幅に対応した段差を規制板４１ａに設けることによって、引き戸１１を開いたままの状態とする際、引き戸１１の開口幅を確実に所定の開口幅にすることができる。又、当接部材６１が規制板４１ａの下側から規制板４１ａに当接する場合、当接部材６１の上部と規制板４１ａの当接面とが当接する。よって、例えば当接部材６１の先端が、規制板４１ａとの摩擦で磨耗した場合も、引き戸１１が閉じる方向に移動するのを確実に規制できる。従って、引き戸１１が閉じる方向に移動するのを、更に、確実に規制することができる。
【００６３】
[第３実施形態]
＝＝＝引き戸装置＝＝＝
図８は、本実施形態における引き戸装置を示す斜視図である。尚、図１に示された構成と同じ構成については同じ番号を付すのみで、その説明は省略する。規制板４１ｃは、ガイド凹部４５１ｃに設けられているため、ガイド部材４５ｃと重なって見えない状態となっているが、点線で示されている。
【００６４】
引き戸装置１００ｃは、引き戸１１ｃを含んで構成される。尚、本実施形態において、Ｚ軸は、引き戸１１ｃが開閉する水平方向に沿う軸であり、引き戸１１ｃが閉じる方向（奥側）を＋Ｚ方向とし、引き戸１１ｃが開く方向（手前側）を−Ｚ方向とする。Ｘ軸は、出入口５を出入りする方向に沿う軸であり、一方に向かって出入りする方向を＋Ｘ方向とし、他方に向かって出入りする方向を−Ｘ方向とする。Ｙ軸は、引き戸１１ｃに対して垂直方向に沿う軸であり、下に向かう方向を−Ｙ方向とし、上に向かう方向を＋Ｙ方向とする。
【００６５】
引き戸１１ｃは、出入口５を開閉するための、例えば略矩形柱形状を呈する引き戸である。引き戸１１ｃは、例えば引き戸１１ｃを開く方向に移動させるための力が加えられる把手１３ｃ、ダイヤル１２ｃ、調整機構６ｃ、取り付け部材６５ｃが、引き戸１１ｃの例えば一方の側面に設けられる。尚、ダイヤル１２ｃ、調整機構６ｃ、取り付け部材６５ｃの詳細については後述する。
【００６６】
＝＝＝引き戸の移動規制装置＝＝＝
以下、図８、図９を参照して、本実施形態に係る引き戸の移動規制装置について説明する。図９は、本実施形態における開いた状態の引き戸装置を示す図である。尚、図４に示された構成と同じ構成については同じ番号を付すのみで、その説明は省略する。規制板４１ｃ、当接部材６１ｃの上部は、ガイド凹部４５１ｃに設けられているため、ガイド部材４５ｃと重なって見えない状態となっているが、一点鎖線で示されている。引き戸１１ｃの上部及び下部は夫々、鴨居４の案内凹部４２、敷居２の案内凹部２２に夫々設けられているため、鴨居４、敷居２と夫々重なって見えない状態となっているが、一点鎖線で示されている。当接部材６１ｃの中間部分は、取り付け部材６５ｃの内部に設けられているために、取り付け部材６５ｃと重なって見えない状態となっているが、一点鎖線で示されている。回転ギヤ６４ｃ（回転部材）、軸１２１ｃは、ダイヤル１２ｃに重なって見えない状態となっているが、点線で示されている。
【００６７】
引き戸の移動規制装置は、引き戸１１ｃが閉じる方向に移動するのを防止したり、許可したりするための装置である。引き戸の移動規制装置は、調整機構６ｃ、規制板４１ｃを含んで構成される。
【００６８】
規制板４１ｃは、引き戸１１ｃが閉じる方向に移動する際、引き戸１１ｃの上面の近傍に向かって移動する当接部材６１ｃが下側から当接して、引き戸１１ｃが閉じる方向に移動するのを防止するための部材である。尚、当接部材６１ｃの詳細については後述する。規制板４１ｃは、例えば、既存の鴨居４に対して、平板形状を呈する部材を、閉じる方向に移動するにつれて垂直方向における規制板４１ｃと床面との間の距離が連続的に短くなるように斜めに設置する構成としてもよいし、例えば、閉じる方向に移動するにつれて垂直方向における規制板４１ｃと床面との間の距離が連続的に短くなる面を有する部材を鴨居４に取り付ける構成としてもよい。又、規制板４１ｃは、例えば、鴨居４の一部として予め鴨居４に形成される構成としてもよい。規制板４１ｃは、鴨居４の一方の側面に設けられたガイド部材４５ｃと、鴨居４の一方の側面とで形成されるガイド凹部４５１ｃに、開閉方向に沿って設けられる。ここで、ガイド部材４５ｃは、例えば下側が開口するガイド凹部４５１ｃを鴨居４の一方の側面との間で形成するように、鴨居４の一方の側面に取り付けられる。規制板４１ｃは、閉じる方向に移動するにつれて垂直方向における規制板４１ｃと床面との間の距離が連続的に短くなるように設けられる。規制板４１ｃは、規制板４１ｃの手前側の縁が、規制板４１の奥側の縁よりも上側になるように設けられる。
【００６９】
調整機構６ｃは引き戸１１ｃが閉じる方向に移動するのを防止したり許可したりするために、規制板４１ｃに当接したり、離間したりする機構である。調整機構６ｃは、当接部材６１ｃ、回転ギヤ６４ｃを有する。
【００７０】
当接部材６１ｃは、規制板４１ｃに下側から当接して、引き戸１１ｃが閉じる方向に移動するのを防止するための例えば略系矩形柱形状を呈する長尺状の部材である。ここで、取り付け部材６５ｃは、当接部材６１ｃが垂直方向に沿って移動できるように、当接部材６１ｃを引き戸１１ｃの一方の側面に取り付けるための部材である。取り付け部材６５ｃは、例えば略矩形柱形状を呈し、取り付け部材６５ｃの他方の面が引き戸１１ｃの一方の側面に取り付けられる。取り付け部材６５ｃは、当接部材６１ｃが垂直方向に沿って挿通される孔６５１ｃが取り付け部材６５ｃの上面及び下面を貫通するように設けられる。当接部材６１ｃは、当接部材６１ｃを取り付け部材６５ｃの孔６５１ｃに挿通することよって、例えば引き戸１１ｃの一方の側面に取り付けられる。当接部材６１ｃの下部には、例えば回転ギヤ６４ｃと噛み合った状態で、回転ギヤ６４ｃの回転力を垂直方向の力に変換して当接部材６１ｃを垂直方向に移動させるラックギヤ６２ｃが設けられる。尚、回転ギヤ６４ｃとラックギヤ６２ｃとが、本実施形態における駆動部材に相当する。回転ギヤ６４ｃの詳細は後述する。
【００７１】
回転ギヤ６４ｃは、ラックギヤ６２ｃと噛み合う例えばピニオンギヤである。回転ギヤ６４ｃは、例えば出入りする方向に沿った軸１２１ｃ中心に回転するように、引き戸１１ｃの一方の側面に軸支される。回転ギヤ６４ｃの一方側の端部には、軸１２１ｃを中心に回転するダイヤル１２ｃが取り付けられる。
【００７２】
例えば、引き戸１１の一方の側面に向かって時計回り方向（ａ３方向）への回転力がダイヤル１２ｃに加えられた場合、回転ギヤ６４ｃは、軸１２１ｃを中心にａ３方向に回転する。ラックギヤ６２ｃは、回転ギヤ６４ｃのａ３方向への回転力を下側への力に変換して、当接部材６１ｃを下方向に移動させる。
【００７３】
一方、例えば、引き戸１１の一方の側面に向かって反時計回り方向（ｂ３方向）への回転力がダイヤル１２ｃに加えられた場合、回転ギヤ６４ｃは、軸１２１ｃを中心にｂ３方向に回転する。ラックギヤ６２ｃは、回転ギヤ６４ｃのｂ３方向への回転力を上側への力に変換して、当接部材６１ｃを上方向に移動させる。
【００７４】
＝＝＝引き戸の開口幅＝＝＝
以下、図９を参照して、本実施形態に係る引き戸の移動規制装置を用いて調整される引き戸の開口幅について説明する。  
引き戸の移動規制装置では、例えば規制板４１ｃと当接部材６１ｃとの間の距離に応じて、引き戸１１ｃを開いたままにする際の引き戸１１ｃの開口幅が連続的に調整される。
【００７５】
例えば、当接部材６１ｃの先端と床面との間の距離が距離Ｈ５となるように、当接部材６１ｃを移動させた場合、開口幅が距離Ｗ５のときに、当接部材６１ｃの先端が規制板４１ｃの下側から規制板４１ｃに当接して、引き戸１１ｃが閉じる方向に移動するのを防止される。引き戸１１ｃを開いたままにする際の引き戸１１ｃの開口幅が距離Ｗ５となる。
【００７６】
例えば、当接部材６１ｃの先端と床面との間の距離が、規制板４１ｃの奥側の縁と床面との間の距離よりも短くなるように、当接部材６１ｃを移動させた場合、当接部材６１ｃが規制板４１ｃから離間した状態となり、引き戸１１ｃが閉じる方向に移動するのを許可される。引き戸１１ｃは閉じた状態になる。
【００７７】
＝＝＝引き戸の移動規制装置の動作＝＝＝
以下、図８、図９を参照して、本実施形態に係る引き戸の移動規制装置の動作の一例について説明する。尚、例えば、開いた引き戸１１ｃを、開口幅が距離Ｗ５となるように開いたままの状態にする場合、開いた引き戸１１ｃを、閉じた状態にする場合に分けて説明する。
【００７８】
＜開いた引き戸１１ｃを、開口幅が距離Ｗ５となるように開いたままの状態にする場合＞
例えば当接部材６１ｃの先端と床面との間の距離が距離Ｈ５となるように、例えばダイヤル１２ｃをｂ３方向に回転させる。ダイヤル１２ｃに加えられたｂ３方向への回転力によって、回転ギヤ６４ｃは、軸１２１ｃを中心にｂ３方向に回転する。ラックギヤ６２ｃは、回転ギヤ６４ｃのｂ３方向への回転力を上側への力に変換して、当接部材６１ｃを上方向に移動させる。当接部材６１ｃの例えば先端と床面との間の距離が距離Ｈ５となる。例えば、引き戸１１ｃが、閉じる方向に移動した場合、開口幅が距離Ｗ５となったときに、当接部材６１ｃの例えば先端が規制板４１ｃに当接する。その際、引き戸１１ｃは、閉じる方向に向かって移動するのが防止されて、引き戸１１ｃは、開口幅が距離Ｗ５で開いたままの状態となる。
【００７９】
＜開いた引き戸１１ｃを、閉じた状態にする場合＞
例えば当接部材６１ｃの先端と床面との間の距離が、規制板４１ｃの奥側の縁と床面との間の距離よりも短くなるように、例えばダイヤル１２ｃをａ３方向に回転させる。ダイヤル１２ｃに加えられたａ３方向への回転力によって、回転ギヤ６４ｃは、軸１２１ｃを中心にａ３方向に回転する。ラックギヤ６２ｃは、回転ギヤ６４ｃのａ３方向への回転力を下側への力に変換して、当接部材６１ｃを下方向に移動させる。当接部材６１ｃの先端と床面との間の距離が、規制板４１ｃの奥側の縁と床面との間の距離よりも短くなり、当接部材６１ｃが規制板４１ｃから離間した状態となる。例えば、引き戸１１ｃが、閉じる方向に移動した場合、引き戸１１ｃは閉じた状態となる。
【００８０】
前述したように、当接部材６１ｃと回転ギヤ６４ｃとは、引き戸１１ｃの一方の側面に設けられる。規制板４１ｃは、当接部材６１ｃの上側に設置される。よって、例えば、当接部材６１ｃ、回転ギヤ６４ｃは、引き戸１１ｃの側面に取り付ければよいので、当接部材６１ｃ、回転ギヤ６４ｃを引き戸１１ｃに簡単に取り付けることができる。又、鴨居４の案内凹部４２の上側の面と、引き戸１１ｃの上面との間に規制板４１ｃを取り付けるための十分なスペースがない場合でも、規制板４１ｃを当接部材６１ｃの上側に取り付けることができる。従って、利用性の高い引き戸の移動規制装置を提供することができる。
【００８１】
[その他の実施形態]
第１乃至第３実施形態では、規制板を当接部材の上側に設置した場合について説明したが、これに限定されるものではない。例えば、規制板を当接部材の下側に設置してもよい。図１０は、本実施形態における引き戸装置を示す斜視図である。
【００８２】
引き戸の移動規制装置は、引き戸１１ｃが閉じる方向に移動するのを防止したり、許可したりするための装置である。引き戸の移動規制装置は、調整機構６ｄ、規制板４１ｄを含んで構成される。尚、本実施形態において、Ｚ軸は、引き戸１１ｃが開閉する水平方向に沿う軸であり、引き戸１１ｃが閉じる方向（奥側）を＋Ｚ方向とし、引き戸１１ｃが開く方向（手前側）を−Ｚ方向とする。Ｘ軸は、出入口５を出入りする方向に沿う軸であり、一方に向かって出入りする方向を＋Ｘ方向とし、他方に向かって出入りする方向を−Ｘ方向とする。Ｙ軸は、引き戸１１ｃに対して垂直方向に沿う軸であり、下に向かう方向を−Ｙ方向とし、上に向かう方向を＋Ｙ方向とする。
【００８３】
規制板４１ｄは、引き戸１１ｃが閉じる方向に移動する際、引き戸１１ｃの下面の近傍に向かって移動する当接部材６１ｄが上側から当接して、引き戸１１ｃが閉じる方向に移動するのを防止するための部材である。尚、当接部材６１ｄの詳細については後述する。規制板４１ｄは、例えば、既存の敷居２ｄに対して、取り付け凹部４１１ｄを設けて、平板形状を呈する部材を、閉じる方向に移動するにつれて垂直方向における規制板４１ｄと敷居２ｄの上面との間の距離が連続的に短くなるように斜めに設置する構成としてもよいし、例えば、閉じる方向に移動するにつれて垂直方向における規制板４１ｄと敷居２ｄの上面との間の距離が連続的に短くなる面を有する部材を敷居２ｄの取り付け凹部４１１ｄに取り付ける構成としてもよい。又、例えば、敷居２ｄの一部として予め敷居２ｄに形成される構成としてもよい。規制板４１ｄは、敷居２ｄの上面に設けられた取り付け凹部４１１ｄに設けられる。ここで、敷居２ｄの上面には、引き戸の開閉方向に沿って規制板４１ｄを設置するための取り付け凹部４１ｄが、案内凹部２３と一方側に隣接する位置に設けられているものとする。規制板４１ｄは、閉じる方向に移動するにつれて垂直方向における規制板４１ｄと敷居２ｄの上面との間の距離が連続的に短くなるように設けられる。規制板４１ｄは、規制板４１ｄの手前側の縁が、規制板４１ｄの奥側の縁よりも下側になるように設けられる。
【００８４】
調整機構６ｄは引き戸１１ｃが閉じる方向に移動するのを防止したり許可したりするために、規制板４１ｄに当接したり、離間したりする機構である。調整機構６ｄは、当接部材６１ｄ、回転ギヤ６４ｄを有する。
【００８５】
当接部材６１ｄは、規制板４１ｄに上側から当接して、引き戸１１ｃが閉じる方向に移動するのを防止するための例えば略系矩形柱形状を呈する長尺状の部材である。
【００８６】
当接部材６１ｄは、取り付け部材６５ｄによって、例えば引き戸１１ｃの一方の側面に取り付けられる。当接部材６１ｄの上部には、例えば回転ギヤ６４ｄと噛み合った状態で、回転ギヤ６４ｄの回転力を垂直方向の力に変換して当接部材６１ｄを垂直方向に移動させるラックギヤ６２ｄが設けられる。
【００８７】
回転ギヤ６４ｄは、ラックギヤ６２ｄと噛み合う例えばピニオンギヤである。回転ギヤ６４ｄは、例えば出入りする方向に沿った軸１２１ｄ中心に回転するように、引き戸１１ｃの一方の側面に軸支される。回転ギヤ６４ｄの一方側の端部には、軸１２１ｄを中心に回転するダイヤル１２ｄが取り付けられる。
【００８８】
例えば、当接部材６１ｄが規制板６１ｄに当接するように、当接部材６１ｄを例えば下側に向かって移動させた際に、引き戸１１ｃが閉じる方向に移動したとき、当接部材６１ｄが規制板４１ｄに当接して、引き戸１１ｃが閉じる方向に移動するのを防止される。その場合、引き戸１１ｃは開いたままの状態になる。一方、例えば、当接部材６１ｄが規制板４１ｄから離間するように、当接部材６１ｄを例えば上側に向かって移動させた場合、引き戸１１ｃが閉じる方向に移動するのを許可された状態になり、引き戸１１ｃが閉じる。
【００８９】
前述したように、当接部材６１ｄと回転ギヤ６４ｄとは、引き戸１１ｃの一方の側面に設けられる。規制板４１ｄは、当接部材４１ｄの下側に設置される。よって、例えば、規制板４１ｄを引き戸１１ｃの上面の近傍に設置するのが困難な場合も、規制板４１ｄを例えば敷居２ｄの上面に設けられた取り付け凹部４１１ｄの内部に設置することによって、引き戸１１ｃが閉じる方向に移動するのを防止することができる。従って、利用性の高い引き戸の移動規制装置を提供することができる。
【００９０】
尚、第１乃至第３実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００９１】
第３実施形態においては、規制板４１ｃが、閉じる方向に移動するにつれて垂直方向における規制板４１ｃと床面との間の距離が連続的に短くなるように設けられる場合について説明したが、これに限定されるものではない。例えば、規制板４１ｃが、閉じる方向に移動するにつれて垂直方向における床面との間の距離が段階的に短くなるように設けられる構成としてもよい。この場合、引き戸１１ｃの開口幅に対応した段差を規制板４１ｃに設けることによって、引き戸１１ｃを開いたままの状態とする際、引き戸１１ｃの開口幅を確実に所定の開口幅にすることができる。又、当接部材６１ｃが規制板４１ｃの下側から規制板４１ｃに当接する場合、当接部材６１ｃの上部と規制板４１ｃの当接面とが当接する。よって、例えば当接部材６１ｃの先端が、規制板４１ｃとの摩擦で磨耗した場合も、引き戸１１ｃが閉じる方向に移動するのを確実に規制できる。
【符号の説明】
【００９２】
２、２ｄ    敷居
３    柱
４    鴨居
５    出入口
６、６ｃ、６ｄ    調整機構
１１、１１ｃ    引き戸
１２、１２ｃ、１２ｄ    ダイヤル
４１、４１ａ、４１ｃ、４１ｄ    規制板
６１、６１ｃ、６１ｄ    当接部材
６２、６２ｃ、６２ｄ    ラックギヤ
６３、６４、６４ｃ、６４ｄ    回転ギヤ
１００、１００ｃ、１００ｄ    引き戸装置
４１１ａ、４１２ａ、４１３ａ    階段面
４１１ｂ、４１２ｂ    当接面
【図１】
2013007170.tif 000003
【図２】
2013007170.tif 000004
【図３】
2013007170.tif 000005
【図４】
2013007170.tif 000006
【図５】
2013007170.tif 000007
【図６】
2013007170.tif 000008
【図７】
2013007170.tif 000009
【図８】
2013007170.tif 000010
【図９】
2013007170.tif 000011
【図１０】
2013007170.tif 000012